(57)【要約】      （修正有）【課題】病理組織検査で使用され、組織の細胞核を染色するヘマトキシリン液の抗菌性の改良液を提供する。【解決手段】１５００ｍｌ三角フラスコの中で、８７０ｍｌ精製水に、塩化アルミニウム（ＡｌＣｌ３・６Ｈ２Ｏ）５０ｇを数秒間攪拌し、溶解させる。これをＡ液調製工程１とする。別に、１００ｍｌ三角フラスコの中で、３０ｍｌエタノールに、ヘマトキシリン１．５ｇを１分間攪拌し、溶解させる。これをＢ液調製工程２とする。Ａ液にＢ液を加えた混合液が入った１５００ｍｌ三角フラスコをマグネチックスターラーの上に載せ、１０分間攪拌し、混合する。これをＣ液調製工程３とする。Ｃ液にヨウ素酸ナトリウム０．３ｇを加え、３０分間攪拌し、溶解する。これをＤ液調製工程４とする。Ｄ液にグリセリン１００ｍｌを加え、１０分間攪拌し、混合する。これをＥ液調製工程５とする。Ｅ液を４〜５日間熟成させて、完成させた抗菌ヘマトキシリン液６とする。【選択図】図４
2014059282.tif 000002
【特許請求の範囲】
【請求項１】
抗菌ヘマトキシリン液（１０００ｍｌ）の調製法は、１５００ｍｌ三角フラスコの中で、８７０ｍｌ精製水に、塩化アルミニウム（ＡｌＣｌ３・６Ｈ２Ｏ）５０ｇを数秒間攪拌、溶解させ、これをＡ液調製工程とし、別に、１００ｍｌ三角フラスコの中で、３０ｍｌエタノールに、ヘマトキシリン５ｇを１分間攪拌、溶解させ、これをＢ液調製工程とし、Ａ液にＢ液を加えた混合液が入った１５００ｍｌ三角フラスコをマグネチックスターラーの上に載せ、１０分間攪拌、混合し、これをＣ液調製工程とし、Ｃ液にヨウ素酸ナトリウム０．３ｇを加え、マグネチックスターラーの上で３０分間攪拌、溶解し、これをＤ液調製工程とし、Ｄ液にグリセリンを１００ｍｌ加え、１０分間攪拌、混合し、これをＥ液調製工程とし、Ｅ液を室温で、４〜５日間熟成させて、完成させた抗菌ヘマトキシリン液。
【請求項２】
１０００ｍｌの拡張抗菌ヘマトキシリン液の調製方法は、５％塩化アルミニウム水溶液を１０００ｍｌ調製し、これをＦ液調製工程とし、別に、５％硫酸アルミニウム水溶液を１０００ｍｌ調製し、これをＧ液調製工程とし、１５００ｍｌの三角フラスコの中で、Ｆ液３７０ｍｌとＧ液５００ｍｌを混合、８７０ｍｌの混合液を調製し、これをＨ液調製工程とし、Ｈ液にＢ液を加え、マグネチックスターラーの上で１０分間攪拌、混合し、これをＩ液調製工程とし、Ｉ液にヨウ素酸ナトリウム０．３ｇを加え、３０分間攪拌、溶解し、これをＪ液調製工程とし、Ｊ液にグリセリンを１００ｍｌ加え、１０分間攪拌、混合し、これをＫ液調製工程とし、Ｋ液を４〜５日間熟成させて、完成するヘマトキシリン液は、請求項１の抗菌ヘマトキシリン液の短所を改善した拡張抗菌ヘマトキシリン液。
【発明の詳細な説明】
【技術分野】
【０００１】  本発明は、病理組織検査で使用され、組織の細胞核を染色するヘマトキシリン液の改良液である。
【技術背景】
【０００２】  従来のヘマトキシリン液（数種類）は、細菌やカビ（真菌）が発育しやすい試薬を媒染剤として使用しているので、調製後、３〜４週ほどで細菌やカビの発育がみられる。また、媒染剤として、最も使用頻度の高いカリウムミョウバンは水に溶けにくく、完全に溶解するまでに、３０分近い時間を要する。
【先行技術文献】
【特許文献】
【０００３】
【発明の概要】
【発明が解決しようとする課題】
【０００４】  ヘマトキシリン液の媒染剤として使用されているカリウムミョウバン（カラッチヘマトキシリン液）及び硫酸アルミニウム（ギルヘマトキシリン液）は、硫酸塩であり、分子内にイオウ原子を含有している。これが細菌やカビが発育しやすい要因であり、液の保存性を低下させると推測した。
それを立証するために、血液寒天培地使用して、緑膿菌と大腸菌（常在菌）に対する抗菌試験を実施した。また、食パンを使用して、カビと細菌に対する抗菌試験も合わせて実施した。この二つの方法により、推測の正しさを証明することができた。
カリウムミョウバンは水に溶けにくく、完全に溶解するまで３０分近い時間を要し、ヘマトキシリン液の調製時間を長引かせる原因になっている。
抗菌ヘマトキシリン液はマイヤーヘマトキシリン液と同様に進行性染色液の性質をもち、細胞核の染色に要する時間が２〜３分長い。
本発明は、以上の問題点を解決するためになされたものである。
【課題を解決するための手段】
【０００５】  抗菌ヘマトキシリン液（１０００ｍｌ）の調製法は、１５００ｍｌ三角フラスコの中で、８７０ｍｌ精製水に、塩化アルミニウム（ＡｌＣｌ３・６Ｈ２Ｏ）５０ｇを数秒間攪拌し、溶解させる。これをＡ液調製工程とする。別に、１００ｍｌ三角フラスコの中で、３０ｍｌエタノールに、ヘマトキシリン１．５ｇを１分間攪拌し、溶解させる。これをＢ液調製工程とする。Ｂ液とＡ液の混合液が入った１５００ｍｌ三角フラスコをマグネチックスターラーの上に載せ、１０分間攪拌し、混合する。これをＣ液調製工程とする。Ｃ液にヨウ素酸ナトリウム０．３ｇを加え、マグネチックスターラーの上で３０分間攪拌し、溶解する。これをＤ液調製工程とする。Ｄ液にグリセリンを１００ｍｌ加え、１０分間攪拌し、混合する。これをＥ液調製工程とする。Ｅ液を４〜５日間熟成させて、完成する抗菌ヘマトキシリン液。
しかし、抗菌ヘマトキシリン液は細胞核以外の組織は染色されない進行性ヘマトキシリン液の性質を持っているので、カラッチヘマトキシリン液などの退行性ヘマトキシリン液に比べ、２〜３分染色時間が長くなる。この問題を解決するために、塩化アルミニウムに硫酸アルミニウムを加えた試薬を媒染剤として使用した。
最初に、５％塩化アルミニウム水溶液を１０００ｍｌ調製する。これをＦ液調製工程とする。別に、５％硫酸アルミニウム水溶液を１０００ｍｌ調製する。これをＧ液調製工程とする。１５００ｍｌの三角フラスコの中で、Ｆ液３７０ｍｌとＧ液５００ｍｌを混合し、８７０ｍｌの混合液を調製する。これをＨ液調製工程とする。Ｈ液にＢ液を加え、マグネチックスターラーの上で１０分間攪拌し、混合する。これをＩ液調製工程とする。Ｉ液にヨウ素酸ナトリウム０．３ｇ加え、３０分間攪拌し、溶解する。これをＪ液調製工程とする。Ｊ液にグリセリンを１００ｍｌ加え、１０分間攪拌し、混合する。これをＫ液調製工程とする。Ｋ液を４〜５日間熟成させてできるヘマトキシリン液は、染色時間を短縮しても、細胞核を強く染色できる拡張抗菌ヘマトキシリン液。
【発明の効果】
【０００６】  従来のヘマトキシリン液は、添加されている媒染剤が原因で、細菌やカビが発育しやすい環境になり、液の保存性を低下させていた。
本発明により細菌やカビの発育を抑制し、抗菌作用もつ、保存性に優れたヘマトキシリン液を開発することができた。また、塩化アルミニウムは水に数秒で溶解し、液の調製時間を大幅に短縮することができた。
拡張抗菌ヘマトキシリン液の開発で、進行性の抗菌ヘマトキシリン液を退行性化することができ、染色時間を短縮しても、細胞核を強く染色することが可能になった。
【図面の簡単な説明】
【０００７】
【図１】大腸菌に対する抗菌試験
【図２】緑膿菌に対する抗菌試験
【図３】食パンを利用した抗菌試験
【図４】抗菌ヘマトキシリン液の調製法
【図５】拡張抗菌ヘマトキシリン液の調製法
【図６】抗菌ヘマトキシリン液によるＨＥ染色の手技
【発明を実施するための形態】
【０００８】    以下、本発明の実施の形態を説明する。
（イ）大腸菌、緑膿菌を別々に、２枚の血液寒天培地に塗抹し、３７℃のふ卵器で、一日培養し培地の全面に菌を発育させる。夫々の培地の２カ所に、５％塩化アルミニウム液と５％カリウムミョウバン液を別々に２滴滴下し、再度、３７℃のふ卵器で、一日培養し夫々の媒染剤の抗菌作用の有無を確認した。
（ロ）賞味期限が過ぎた食パンを約２ｃｍ四角に切ったものを４個用意し、夫々のパンに３種類の媒染剤、５％塩化アルミニウム液、５％カリウムミョウバン液、５％硫酸アルミニウム液と対照に精製水を別々に、数滴滴下、３７℃のふ卵器に３〜４日間放置、培養したあとに、カビや細菌の発育状態を観察した。
（ハ）抗菌ヘマトキシリン液（１０００ｍｌ）の調製法は、１５００ｍｌ三角フラスコの中で、８７０ｍｌ精製水に、塩化アルミニウム（ＡｌＣｌ３・６Ｈ２Ｏ）５０ｇを数秒間、攪拌し溶解させる。これをＡ液調製工程とする。別に、１００ｍｌ三角フラスコの中で、３０ｍｌエタノールに、ヘマトキシリン１．５ｇを１分間攪拌し、溶解させる。これをＢ液調製工程とする。Ｂ液とＡ液の混合液が入った１５００ｍｌ三角フラスコをマグネチックスターラーの上に載せ、１０分間攪拌し、混合する。これをＣ液調製工程とする。Ｃ液にヨウ素酸ナトリウム０．３ｇを加え、マグネチックスターラーの上で３０分間攪拌し、溶解する。これをＤ液調製工程とする。Ｄ液にグリセリンを１００ｍｌ加え、１０分間攪拌し、混合する。これをＥ液調製工程とする。Ｅ液を４〜５日間熟成させて、抗菌ヘマトキシリン液が完成する。
（ニ）５％塩化アルミニウム水溶液を１０００ｍｌ調製する。これをＦ液調製工程とする。別に、５％硫酸アルミニウム水溶液を１０００ｍｌ調製する。これをＧ液調製工程とする。１５００ｍｌの三角フラスコの中で、Ｆ液３７０ｍｌとＧ液５００ｍｌを混合し、８７０ｍｌの混合液を調製する。これをＨ液調製工程とする。Ｈ液にＢ液を加え、マグネチックスターラーの上で１０分間攪拌し、混合する。これをＩ液調製工程とする。Ｉ液にヨウ素酸ナトリウム０．３ｇ加え、３０分間攪拌し、溶解する。これをＪ液調製工程とする。Ｊ液にグリセリンを１００ｍｌ加え、１０分間攪拌し、混合する。これをＫ液調製工程とする。Ｋ液を４〜５日間熟成させて、拡張抗菌ヘマトキシリン液が完成する。
本発明は以上のような構造である。
本発明をＨＥ染色で使用する場合の染色手技は、組織切片を、脱パラ、脱キシロール、脱アルコール、水洗洗浄する。抗菌ヘマトキシリン液での細胞核の染色時間は７分間、分別の必要はなく、水洗による色だしは３分間行った。１％エオジン液での後染色は５分間行い、２〜３秒ほど、軽く水洗洗浄し、分別、脱水、透徹、封入し、組織切片の染色状態を顕微鏡で観察した。
【符号の説明】
【０００９】１Ａ液調製工程、２Ｂ液調製工程、３Ｃ液調製工程、４Ｄ液調製工程、
５Ｅ液調製工程、６抗菌ヘマトキシリン液、７Ｆ液調製工程、８Ｇ液調製工程、
９Ｈ液調製工程、１０Ｉ液調製工程、１１Ｊ液調製工程、１２Ｋ液調製工程、
１３拡張抗菌ヘマトキシリン液
【図１】
2014059282.tif 000003
【図２】
2014059282.tif 000004
【図３】
2014059282.tif 000005
【図４】
2014059282.tif 000006
【図５】
2014059282.tif 000007
【図６】
2014059282.tif 000008